(57)【特許請求の範囲】
【請求項１】
移送される粒状物の配管に設けられるとともに該粒状物の品質検査を行うことが可能な粒状物検査装置であって、
外郭を形成する管状部材と、前記管状部材の中心部に固定配置されて該管状部材の内周面との間に前記粒状物の通路を形成するとともに該通路を流下する前記粒状物を撮影可能な撮像装置と、を有し、
前記撮像装置は、
円環状に形成されるとともに円環の中心方向に傾斜する外側面に鏡面を有する円環状ミラーと、前記円環状ミラーの下方に配置されて該円環状ミラーに映り込む前記粒状物の鏡像を撮影可能なカメラと、を備え、
前記管状部材は、前記粒状物の撮影位置周辺において透明又は半透明で形成されるとともに、該撮影位置周辺の外周部に、流下する前記粒状物に透過光を照射可能な透過光源が設けられ、
前記撮像装置は円環状の前記通路を流下する複数の前記粒状物を同時に撮影可能である  ことを特徴とする粒状物検査装置。
【請求項２】
前記管状部材の内周面と前記撮像装置との間に形成される円環状の前記通路の幅は、前記粒状物が１粒通過できるほどの幅寸法であり、
前記円環状ミラーの前記鏡面の幅は、流下する前記粒状物の一部が映り込むほどの幅寸法である
ことを特徴とする請求項１に記載の粒状物検査装置。
【請求項３】
前記撮像装置の周囲に形成される前記通路には、該通路を複数の通過エリアで仕切る不透光の通過エリア仕切り部材が設けられ、前記通過エリアごとに複数種類の品質検査が可能である
ことを特徴とする請求項１又は請求項２に記載の粒状物検査装置。
【請求項４】
前記複数の通過エリアのうち一部の通過エリアは、前記品質検査の対象外の粒状物が流下可能な非検査領域である
ことを特徴とする請求項３に記載の粒状物検査装置。
【請求項５】
前記通路の幅寸法が、前記複数の通過エリアで異なる
ことを特徴とする請求項３又は請求項４に記載の粒状物検査装置。
【請求項６】
前記管状部材及び前記撮像装置は傾斜して設けられ、前記複数の通過エリアのうち前記非検査領域は上方側に配置される
ことを特徴とする請求項４又は請求項５に記載の粒状物検査装置。
【請求項７】
前記管状部材は、前記粒状物の撮影位置の外周部に前記粒状物に透過光を照射可能なバックグランド光源が設けられる
ことを特徴とする請求項１乃至請求項６のいずれかに記載の粒状物検査装置。
【請求項８】
前記撮像装置には、前記粒状物に反射光を照射可能な反射光源が設けられる
ことを特徴とする請求項１乃至請求項７のいずれかに記載の粒状物検査装置。
【請求項９】
前記粒状物が玄米の場合は、前記撮像装置によって撮影された玄米の撮影画像により、たんぱく質量、水分量、白度、着色の状態、シラタの状態をそれぞれ同時に検査可能である
ことを特徴とする請求項１乃至請求項８のいずれかに記載の粒状物検査装置。
【請求項１０】
前記粒状物が白米の場合は、前記撮像装置によって撮影された白米の撮影画像により、たんぱく質量、水分量、白度、着色の状態、シラタの状態をそれぞれ同時に検査可能である
ことを特徴とする請求項１乃至請求項８のいずれかに記載の粒状物検査装置。
【発明の詳細な説明】
【技術分野】
【０００１】
本発明は、配管内で移送される粒状物を検査することが可能な粒状物検査装置に関する。
【背景技術】
【０００２】
従来、カントリエレベータ、ライスセンタ及び精米工場などで荷受けした原料の品質検査は、自主検査装置を利用して行われていた。すなわち、サンプリングした原料の外観品質は穀粒判別機、内部品質は食味計（登録商標）などを使用して品質測定が行われる。
【０００３】
また、配管内の粒状物の品質を測定する方法として、特許文献１には、傾斜のある配管下部に窓を設け、連続的に流れる粒状物のＲＧＢの反射光データを取得して、品質の測定を行う装置が開示されている。さらに、特許文献２には、配管を分岐させ、分岐部分で粒状物を滞留させて配管外側に配置したセンサによって湿度又はたんぱく含有量決定のためのデータを取得する構成が開示されている。
【先行技術文献】
【特許文献】
【０００４】
【特許文献１】特表２０１２−５２５５７５号公報
【特許文献２】特表平０３−５００２０８号公報
【発明の概要】
【発明が解決しようとする課題】
【０００５】
しかしながら、前述した自主検査装置は建屋内に大掛かりな装置が必要であり、荷受けした原料のサンプル毎に、各測定器で測定する必要がある。さらに、前述した配管に設置した測定装置で品質データを取得する場合も、一つの測定装置で取得できるデータは限られており、複数のデータを取得するには各種測定装置をそれぞれ設置する必要がある。加えて、特許文献２のように配管を分岐する方法にあっては、別途分岐スペースが必要になるなど、多くの問題があった。
【０００６】
そこで、本発明は上記問題点に鑑み、粒状物が移送される配管に設けられ、通過する粒状物の品質を検査可能な粒状物検査装置を提供することを目的とする。
【課題を解決するための手段】
【０００７】
本願請求項１に係る発明は、移送される粒状物の配管に設けられる粒状物検査装置であって、外郭を形成する管状部材と、該管状部材の内側に前記粒状物の通路を形成するとともに、流下する前記粒状物を撮影可能な撮像装置と、を有し、前記撮像装置は、当該撮像装置の全周囲に形成される前記通路を同時に撮影可能であることを特徴とする粒状物検査装置である。
【０００８】
本願請求項２に係る発明は、前記撮像装置は、円環状に形成されるとともに、円環の中心部に傾斜した外側面に鏡面を有する円環状ミラーと、該円環状ミラーに映り込んだ前記粒状物の鏡像を撮影可能なカメラと、を備えていることを特徴とする請求項１に記載の粒状物検査装置である。
【０００９】
本願請求項３に係る発明は、前記撮像装置の全周囲に形成される前記通路には、該通路を複数の通過エリアで仕切る不透光の通過エリア仕切り部材が設けられ、前記通過エリアごとに複数種類の品質検査が可能であることを特徴とする請求項１又は請求項２に記載の粒状物検査装置である。
【００１０】
本願請求項４に係る発明は、前記複数の通過エリアのうち一部の通過エリアは、前記品質検査の対象外の粒状物が流下可能な非検査領域であることを特徴とする請求項３に記載の粒状物検査装置である。
【００１１】
本願請求項５に係る発明は、前記通路における前記撮像装置と前記管状部材との離間距離が、前記複数の通過エリアで異なることを特徴とする請求項３又は請求項４に記載の粒状物検査装置である。
【００１２】
本願請求項６に係る発明は、前記管状部材及び前記撮像装置は傾斜して設けられ、前記複数の通過エリアのうち前記非検査領域は上方側に配置されることを特徴とする請求項４又は請求項５に記載の粒状物検査装置である。
【００１３】
本願請求項７に係る発明は、前記管状部材には、前記粒状物に透過光を照射可能な透過光源及び／又はバックグランド光源が設けられることを特徴とする請求項１乃至請求項６のいずれかに記載の粒状物検査装置である。
【００１４】
本願請求項８に係る発明は、前記撮像装置には、前記粒状物に反射光を照射可能な反射光源が設けられることを特徴とする請求項１乃至請求項７のいずれかに記載の粒状物検査装置である。
【００１５】
本願請求項９に係る発明は、前記粒状物が玄米の場合は、前記撮像装置によって撮影された玄米の撮影画像により、たんぱく質量、水分量、白度、着色の状態、シラタの状態をそれぞれ同時に検査可能であることを特徴とする請求項１乃至請求項８のいずれかに記載の粒状物検査装置である。
【００１６】
本願請求項１０に係る発明は、前記粒状物が白米の場合は、前記撮像装置によって撮影された白米の撮影画像により、たんぱく質量、水分量、白度、着色の状態、シラタの状態をそれぞれ同時に検査可能であることを特徴とする請求項１乃至請求項８のいずれかに記載の粒状物検査装置である。
【発明の効果】
【００１７】
請求項１に係る発明によれば、粒状物検査装置は、外郭を形成する管状部材と、該管状部材の内側に粒状物の通路を形成するとともに、流下する粒状物を撮影可能な撮像装置とを有し、撮像装置は、当該撮像装置の全周囲に形成される粒状物の通路を同時に撮影できるように構成されている。このような構成によれば、撮像装置の全周囲を通過する粒状物を同時に撮影することが可能になり、平面的に粒状物を撮影するよりも多くの粒状物を撮影することができる。さらに、粒状物検査装置は、図１に示されるように移送される粒状物の配管に設けられるため、粒状物の移送中に効率的に当該粒状物の品質検査を行うことが可能となる。
【００１８】
請求項２に係る発明によれば、撮像装置には、円環状に形成されるとともに、円環の中心部に傾斜した外側面に鏡面を有する円環状ミラーが設けられている。これにより、図６に示されるように、円環状ミラーに映り込んだ粒状物の鏡像を、エリアカメラによって撮影することが可能となる。また、複数のレンズを配置する手間が無く、より安価に粒状物検査装置１を製造することができる。さらに、ＲＧＢ画像とＮＩＲ画像を同時に取得する場合、円環状ミラーを使用することにより、波長の違いによる屈折率の影響を抑えることが可能となり、粒状物のほぼ同じ部分のＲＧＢ画像とＮＩＲ画像を同時に取得することが可能となる。
【００１９】
請求項３に係る発明によれば、撮像装置の全周囲に形成される通路を、図５に示されるように、不透光の通過エリア仕切り部材によって複数の通過エリアに仕切ることが可能となり、通過エリアごとに複数種類の品質検査を行うことが可能となる。
【００２０】
請求項４に係る発明によれば、例えば、図５の通過エリアａ６のように、複数の通過エリアのうち一部の通過エリアを、品質検査の対象外の粒状物が流下可能な非検査領域とすることで、検査対象外の粒状物を、スムーズに流下させることが可能となる。
【００２１】
請求項５に係る発明によれば、通路における撮像装置と管状部材との離間距離を、複数の通過エリアで異ならせることが可能となっている。すなわち、粒状物を１粒ごとに検査する必要があれば、通路における撮像装置と管状部材との離間距離を１粒の粒状物が通過できる程度とし、粒状物が重なっていても必要な検査が可能であれば、通路における撮像装置と管状部材との離間距離を広くすることが可能である。これにより、配管の移送効率（必要な流量）が低下することを抑制することができる。
【００２２】
請求項６に係る発明によれば、管状部材及び撮像装置を傾斜させて粒状物検査装置１自体を斜めにして設置し、複数の通過エリアのうち通過する粒状物の検査を行わない非検査領域を上方側に配置している。これにより、粒状物の流量が少ない場合でも検査を行うことが可能となる。一方、比較的に流量が多い場合は、検査対象とならない粒状物の余剰分を、上方側の非検査領域を介して流下させることが可能となるので、粒状物の移送効率を向上させることが可能となる。
【００２３】
請求項７に係る発明によれば、管状部材に、粒状物に透過光を照射可能な透過光源及び／又はバックグランド光源が設けられることにより、エリアカメラによって粒状物からの透過光を撮影し、粒状物の品質検査を行うことが可能となる。
【００２４】
請求項８に係る発明によれば、撮像装置に、粒状物に反射光を照射可能な反射光源が設けることにより、エリアカメラによって粒状物からの反射光を撮影し、粒状物の品質検査を行うことが可能となる。
【００２５】
請求項９及び請求項１０に係る発明によれば、粒状物検査装置を玄米や白米が移送される配管に装着することで、撮影画像により、玄米や白米のたんぱく質量、水分量、白度、着色の状態、シラタの状態をそれぞれ同時に検査することが可能となる。
【図面の簡単な説明】
【００２６】
【図１】本発明の粒状物検査装置の設置態様を説明する概略図である。
【図２】本発明の粒状物検査装置の一実施形態を示す外観斜視図である。
【図３】本発明の粒状物検査装置の一実施形態を示す縦方向の断面斜視図である。
【図４】本発明の粒状物検査装置の一実施形態を示す縦方向の断面図である。
【図５】図４のＡ−Ａ断面における俯瞰図である。
【図６】エリアカメラによる撮影画像を模式的に示した図面であって、（ａ）から（ｄ）にかけて落下中の粒状物の撮影態様が示されている。
【図７】図６に示した粒状物の撮影箇所を説明する図である。
【発明を実施するための形態】
【００２７】
本発明の粒状物検査装置は、例えば、精米機や選別機などの各種装置に接続され、粒状物が移送される配管に装着されるインライン型の装置であり、図１にはその装着態様の概略が図示されている。すなわち、これら任意の各種装置へ流入する粒状物Ｇ、または、各種装置から流出する粒状物Ｇの品質検査を、配管２に装着された粒状物検査装置１によって行うものである。なお、品質検査の対象となる粒状物Ｇとしては、米などの穀粒の他、種々の粒状物Ｇを検査対象として品質検査することが可能である。
【００２８】
図２には、粒状物検査装置１の外観斜視図が、図３には、粒状物検査装置１の縦方向の断面斜視図が、図４には、粒状物検査装置１の縦方向の断面図がそれぞれ図示されている。図示されるように、本実施形態における粒状物検査装置１は、外郭を形成する管状部材２０と、当該管状部材２０の中心部に固定配置される撮像装置１０とから主に構成されている。
【００２９】
撮像装置１０の内部には、エリアカメラ１１０とレンズ１１１とが設けられており、不透光の筒状遮光部材１１２によって囲われている。筒状遮光部材１１２の上部には、円環状で、円環の中心部に傾斜した外側面に鏡面を有する円環状ミラー１１３と、当該円環状ミラー１１３の上部に接続された不透光の上部筒状遮光部材１１４が設けられている。そして、上記円環状ミラー１１３に映り込んだ粒状物Ｇの鏡像を撮影可能に構成されている。すなわち、図３及び図４の断面図に示されるように、撮影位置（破線矢印の始点位置）を通過中の粒状物Ｇの鏡像が円環状ミラー１１３に映り込み、映り込んだ粒状物Ｇの鏡像が、レンズ１１１を介してエリアカメラ１１０によって撮影されることとなる。本実施形態では、円環状ミラー１１３の傾斜した鏡面は、少なくとも落下する粒状物Ｇの長手方向長さの少なくとも４分割した程度の高さを有している。
【００３０】
上記したような円環状ミラー１１３を備えることにより、複数のレンズを配置する手間が無く、より安価に粒状物検査装置１を製造することができる。また、後述するが、魚眼レンズなどを使ってエリアカメラ１１０によってＲＧＢ画像とＮＩＲ画像を同時に取得しようとすると、通常、波長によって屈折率が変わるので、粒状物の同じ部分の画像データを取得できない。しかし、本発明の円環状ミラー１１３は反射を利用しているので、屈折率の影響がない。また、レンズ１１１はレンズであるので屈折率の違いによる影響を受ける。そこで、可視光から近赤外光まで収差の少ないレンズ１１１を使用することで、粒状物のＲＧＢ画像とＮＩＲ画像を同時に取得することが可能となる。
【００３１】
本実施形態におけるエリアカメラ１１０は、グローバルシャッター機能を搭載したＣＭＯＳイメージセンサを使用しており、さらに、当該ＣＭＯＳイメージセンサは、ＲＧＢ画像及びＮＩＲ画像を同時に撮影することが可能となっている。また、近赤外域の撮影には、より広い波長域のＮＩＲ画像を取得可能なセンサを適宜選択して使用することが可能である。このような機能を有するエリアカメラ１１０によれば、高速で移動する粒状物Ｇを確実に撮影できるとともに、ＲＧＢ画像とＮＩＲ画像とが撮影されることにより、様々な品質検査を行うことが可能となる。
【００３２】
図５には、図４のＡ−Ａ断面における俯瞰図が図示されているが、撮像装置１０の周囲には、当該撮像装置１０と管状部材２０との間で粒状物Ｇが通過可能な通路３０が形成されており、撮像装置１０と管状部材２０との離間距離は粒状物Ｇが１粒通過できるほどの距離となっている。したがって、エリアカメラ１１０は、図６に示されるように、通路３０を通過して円環状ミラー１１３に映り込んだ粒状物Ｇを全て撮影することが可能となる。
【００３３】
また、図３〜図５等に示されるように、少なくとも、粒状物Ｇの撮影位置周辺の管状部材２０を透明又は半透明で構成し、当該箇所に透過光源２０１とバックグランド光源２０２が設けられている。上記透過光源２０１については、撮影位置（図３及び図４の破線矢印の始点位置）を挟んで上下２か所に透過光源２０１を設置して、粒状物Ｇの表面に影が生じ難くなるようにしている。
【００３４】
さらに、撮像装置１０には、図３〜図５等に示されるように、少なくとも、粒状物Ｇの撮影位置周辺の撮像装置１０を透明又は半透明で構成するとともに、当該箇所に反射光源１０１が設けられている。本実施形態では、撮影位置（図３及び図４の破線矢印の始点位置）を挟んで上下２か所に反射光源１０１を設置し、粒状物Ｇの表面に影が生じ難くなるようにしている。なお、透過光源２０１及びバックグランド光源２０２、反射光源１０１は、例えば、白色のＬＥＤ素子のほか、単色のＬＥＤ素子（Ｒ、Ｇ、Ｂなど）、ＲＧＢＬＥＤ素子、近赤外ＬＥＤ素子を、検査項目に応じて使用することができる。
【００３５】
前述したように、本実施形態の粒状物検査装置１は、撮像装置１０の周囲に、管状部材２０との間で粒状物Ｇが通過する通路３０が形成されており、エリアカメラ１１０による一度の撮影で、撮像装置１０の全周囲を通過する複数の粒状物Ｇを同時に撮影することが可能である。さらに、図３及び図５に示されるように、遮光性（不透光）を有し、撮像装置１０の全周囲をエリアごとに仕切る６つの通過エリア仕切り部材３１が設けられており、隣接する通路３０及び透過光源２０１、バックグランド光源２０２、反射光源１０１も当該通過エリア仕切り部材３１によって仕切られている。もちろん、隣接する通過エリアで、同じ種類の光源を使用するような場合は、各光源を通過エリア仕切り部材３１によって仕切らないようにすることも可能である。なお、通過エリア仕切り部材３１は、管状部材２０と撮像装置１０とを連結して、撮像装置１０を管状部材２０の内部に固定するステーの機能も有している。
【００３６】
このような構成によって、図５に示されるように、通過エリア仕切り部材３１によって仕切られた粒状物Ｇの通過エリアａ１〜ａ６ごとに、それぞれ異なる測定項目を設定し、複数種類の品質検査を同時に実施することが可能となる。例えば、図示しない籾摺り装置から排出された摺落米を粒状物Ｇとし、粒状物検査装置１を通過させた場合、通過エリアａ１ではたんぱく質量を、通過エリアａ２では水分量を、通過エリアａ３では白度を、通過エリアａ４では着色の状態を、通過エリアａ５ではシラタの状態を、それぞれエリアカメラ１１０の撮影画像から測定又は判定することが可能となる。
【００３７】
なお、本実施形態の通過エリアａ６は、非検査領域とし、検査対象となる通過エリアａ１〜ａ５を通過する粒状物Ｇ以外の粒状物が通過できるように構成されている。これにより、検査対象外の粒状物Ｇをスムーズに流下させることが可能となり、本来的に配管２に求められる移送効率（必要な流量）が低下することを抑制することができる。
【００３８】
また、各通過エリアａ１〜ａ６に配置されている透過光源２０１及び反射光源１０１は、測定項目に応じて光源の波長を異ならせ、さらに、バックグランド光源２０２を含め、発光・消灯の制御を行うことにより、外観品質だけでなく、複数種類の内部品質検査が可能となる。なお、本実施形態では図５に示されるように、非検査領域である通過エリアａ６にも光源を設けているが、これにより、他の通過エリアａ１〜ａ５で不具合が生じた場合に予備の検査領域として機能させることが可能となる。
【００３９】
続いて、図６には、エリアカメラ１１０によって、流下する一粒の摺落米を経時的に撮影した模擬撮影画像が図示されている。すなわち、円環状の円環状ミラー１１３に映り込んだ摺落米が、流下途中に（ａ）→（ｂ）→（ｃ）→（ｄ）と、順次エリアカメラ１１０によって撮影される。したがって、上記（ａ）〜（ｄ）の撮影画像は、図７に示されるように、流下方向の摺落米の先端部から順次摺落米が撮影されることとなる。なお、図６及び図７では、分かりやすく説明するために摺落米を４分割した撮影画像を示しているが、実際に着色粒を判別する際は、判別精度が要求されるため、摺落米を２０〜３０分割して撮影を行う。ただし、水分量やたんぱく質量などは平均値により検査するので上記した分割数よりも少ない分割数で撮影することが可能である。
【００４０】
粒状物検査装置１によって撮影された撮影画像データは、不図示の内蔵される信号処理基板へ送られ、前述した外観品質や内部品質の検査結果が計算された後に、有線又は無線によって不図示のモニタリング制御ＰＣに送信される。なお、これらの各品質データは、ネットワークサーバを介して精米機などの各種装置の制御部とデータ共有することも可能であり、このように構成することで、各品質データに基づいて各種装置の運転制御が可能となる。
【００４１】
（その他の実施形態）
以上、本発明の粒状物検査装置の一実施形態について説明したが、本発明は前述の実施形態に必ずしも限定されるものではなく、例えば以下のような変形例も含まれる。
【００４２】
例えば、前述の実施形態では、撮像装置１０の全周囲を通過エリア仕切り部材３１によって６つの通過エリアに仕切ったが、必ずしもこのような実施形態に限られず、品質検査項目に応じて任意の数で通過エリアを仕切るようにしてもよい。
【００４３】
また、前述の実施形態では、管状部材２０及び撮像装置１０を共に同心の円形形状としたが、必ずしもこのような形態に限定されるものではなく、例えば、図５の非検査領域（通過エリアａ６）の通路３０における撮像装置１０と管状部材２０との離間距離を、他の通過エリアにおける離間距離よりも大きくすることも可能である。このように構成することで、非検査領域（通過エリアａ６）の通路３０の有効断面積が大きくなることから、検査対象外の粒状物Ｇを、スムーズに流下させることが可能となり、本来的に配管２に求められる移送効率（必要な流量）が低下することを抑制することができる。
【００４４】
さらに、通過エリアａ１〜ａ６ごとに、通路３０における撮像装置１０と管状部材２０との離間距離を適宜異ならせることも可能である。例えば、摺落米におけるシラタや着色の状態を検査するためには、粒ごとに検査が必要であるため、通路３０における撮像装置１０と管状部材２０との離間距離を摺落米が重ならない程度とすることが好ましいが、一方、白度、水分量やたんぱく質量は、摺落米が重なっても検査結果に影響を及ぼさないので、摺落米が複数重なるような離間距離としてもよい。これにより、本来的に配管２に求められる移送効率（必要な流量）が低下することを抑制することができる。
【００４５】
また、前述の実施形態における円環状ミラー１１３は、図３及び図４にも示されるように、鏡面を母線が直線である円錐の部分面としたが、必ずしもこれに限られるものではなく、上記母線が曲線となるような形状としてもよい。
【００４６】
本実施形態では、通過エリア仕切り部材３１は、撮像装置１０を管状部材２０の内部に固定するステーの機能を有するものであったが、このような機能を備えるものでなくても良い。例えば、通過エリア仕切り部材３１とは別のステーを設け、管状部材２０内に撮像装置１０を固定しても良い。
【００４７】
また、前述の実施形態では、図１に示されるように、垂直に配置された配管２に粒状物検査装置１を設置しているが、必ずしもこのような形態に限定されるものではなく、例えば、斜め４５度に傾斜して配置されている配管２に対して、その途中で曲管継ぎ手を配置し、少なくとも、粒状物検査装置１を垂直に設置することにより、粒状物Ｇを粒状物検査装置１内で落下させることが可能である。
【００４８】
また、前述の実施形態では、図１に示されるように、粒状物検査装置１を垂直に設置しているが、必ずしもこのような形態に限定されるものではなく、例えば、接続される配管２とともに傾斜させて粒状物検査装置１を設置することも可能である。その際に、上方側の通過エリアを非検査領域とし、下方側に検査が行われる通過エリアを配置することにより、粒状物Ｇの流量が少ない場合でも検査を行うことが可能となる。一方、比較的に流量が多い場合は、検査対象とならない粒状物Ｇの余剰分を、上方側の非検査領域を介して流下させることが可能となる。
【００４９】
また、前述の実施形態では、撮像装置１０内にエリアカメラ１１０を搭載して、ＲＧＢ画像及びＮＩＲ画像を撮影するように構成したが、必ずしもこのようなカメラに限定されるものではなく、光ファイバーなどのラインセンサを利用することも可能である。同様に、カメラの種類を変更することによって、ＮＵＶ画像（近紫外画像）を撮影することも可能である。
【００５０】
以上、本発明のいくつかの実施形態について説明してきたが、上記した発明の実施形態は、本発明の理解を容易にするためのものであり、本発明を限定するものではない。本発明は、その趣旨を逸脱することなく、変更、改良され得るとともに、本発明にはその均等物が含まれる。また、上述した課題の少なくとも一部を解決できる範囲、または、効果の少なくとも一部を奏する範囲において、特許請求の範囲および明細書に記載された各構成要素の組み合わせ、または、省略が可能である。
【符号の説明】
【００５１】
１      粒状物検査装置
２      配管
１０    撮像装置
２０    管状部材
３０    通路
３１    通過エリア仕切り部材
１０１  反射光源
１１０  エリアカメラ
１１１  レンズ
１１２  筒状遮光部材
１１３  円環状ミラー
１１４  上部筒状遮光部材
２０１  透過光源
２０２  バックグランド光源
【要約】
【課題】粒状物が移送される配管に設けられ、通過する粒状物の品質を検査可能な粒状物検査装置を提供すること。
【解決手段】移送される粒状物の配管に設けられる粒状物検査装置であって、外郭を形成する管状部材と、該管状部材の内側に前記粒状物の通路を形成するとともに、流下する前記粒状物を撮影可能な撮像装置と、を有し、前記撮像装置は、当該撮像装置の全周囲に形成される前記通路を同時に撮影可能であることを特徴とする。
【選択図】図３【図１】
0006904462.tif 000002
【図２】
0006904462.tif 000003
【図３】
0006904462.tif 000004
【図４】
0006904462.tif 000005
【図５】
0006904462.tif 000006
【図６】
0006904462.tif 000007
【図７】
0006904462.tif 000008